(57)【要約】【課題】ドア枠の下部戸当り部と左右の側部戸当り部に室外側から当てられることで開き戸により開閉される出入口から水が室内側に流入することを阻止できる防水材、及びこの防水材を有効活用できるようになる防水用開き戸、防水具及び防水用開き戸構造を提供すること。【解決手段】防水材３０は、左右方向への延伸長さを有する下部延伸部３１と、下部延伸部３１の左右両端部から上方向への延伸長さを有する左右の側部延伸部３２，３３と、を備え、防水材３０を開き戸１の室内側の面１Ｂに取り付ける等することにより、下部延伸部３１は、開き戸１により開閉される出入口が内側に形成されているドア枠の下部戸当り部に室外側から当り、左右の側部延伸部３２，３３は、ドア枠の左右の側部戸当り部に室外側から当り、出入口から水が室内側に流入することを阻止できる。【選択図】図３
2019100121.tif 000002
【特許請求の範囲】
【請求項１】
開き戸により開閉される出入口が内側に形成されているドア枠の下部戸当り部に室外側から当てられ、左右方向への延伸長さを有している下部延伸部と、前記ドア枠の左右の側部戸当り部に室外側から当てられ、前記下部延伸部の左右両端部から上方向への延伸長さを有している左右の側部延伸部と、を備えていることを特徴とする防水材。
【請求項２】
請求項１に記載の防水材において、折り畳み可能となっていることを特徴とする防水材。
【請求項３】
請求項２に記載の防水材において、前記下部延伸部と前記左右の側部延伸部のうち、少なくとも１個の延伸部にヒンジが設けられ、このヒンジにより折り畳み可能となっていることを特徴とする防水材。
【請求項４】
請求項３に記載の防水材において、前記下部延伸部と前記左右の側部延伸部のうち、少なくとも前記ヒンジが設けられている前記１個の延伸部は、硬質材料で形成された室外側のベース部材と、このベース部材の室内側の面に取り付けられ、軟質材料で形成された防水部材とを含んで構成され、この防水部材は、前記ヒンジの配置箇所と対応する箇所で分割された２個の防水分割部材により形成されているとともに、前記ベース部材は、前記ヒンジの配置箇所で分割された２個のベース分割部材により形成され、これらのベース分割部材同士が前記ヒンジで連結されていることにより、前記ヒンジが設けられている前記延伸部が折り畳み可能となっていることを特徴とする防水材。
【請求項５】
開き戸により開閉される出入口が内側に形成されているドア枠の下部戸当り部に室外側から当てられ、左右方向への延伸長さを有している下部延伸部と、前記ドア枠の左右の側部戸当り部に室外側から当てられ、前記下部延伸部の左右両端部から上方向への延伸長さを有している左右の側部延伸部と、を備えている防水材が、室内側の面に取り付けられていることを特徴とする防水用開き戸。
【請求項６】
請求項５に記載の防水用開き戸において、前記防水材が前記室内側の面に取り外し可能に取り付けられていることを特徴とする防水用開き戸。
【請求項７】
請求項６に記載の防水用開き戸において、前記防水材には、前記室内側の面に吸着する吸着部材が設けられ、この吸着部材により前記防水材が前記室内側の面に取り外し可能に取り付けられていることを特徴とする防水用開き戸。
【請求項８】
請求項７に記載の防水用開き戸において、前記吸着部材は、磁性材料で形成されている前記室内側の面に磁力で吸着するマグネットであることを特徴とする防水用開き戸。
【請求項９】
開き戸により開閉される出入口が内側に形成されているドア枠の下部戸当り部に室外側から当てられ、左右方向への延伸長さを有している下部延伸部と、前記ドア枠の左右の側部戸当り部に室外側から当てられ、前記下部延伸部の左右両端部から上方向への延伸長さを有している左右の側部延伸部と、を備えている防水材と、
前記出入口のうち、高さを有する下部側の範囲を遮閉する遮閉部と、この遮閉部と連続し、かつ前記下部延伸部に室外側から当てることが可能であって、左右方向への延伸長さを有している第１延伸部と、前記遮閉部と連続し、かつ前記左右の側部延伸部に室外側から当てることが可能であって、前記第１延伸部の左右両端部から上方向への延伸長さを有している左右の第２及び第３延伸部と、を備えている遮閉材と、を含んで構成され、
前記防水材と前記遮閉材が分離されて形成されていることを特徴とする防水具。
【請求項１０】
請求項９に記載の防水具において、前記遮閉材には、前記下部戸当り部の上面に載せられる底部が設けられていることを特徴とする防水具。
【請求項１１】
ドア枠の内側に形成されている出入口を開閉するための開き戸と、
前記ドア枠の下部戸当り部に室外側から当てることが可能であって、左右方向への延伸長さを有している下部延伸部と、前記ドア枠の左右の側部戸当り部に室外側から当てることが可能であって、前記下部延伸部の左右両端部から上方向への延伸長さを有している左右の側部延伸部と、を備えている防水材と、
前記出入口のうち、高さを有する下部側の範囲を遮閉する遮閉部と、この遮閉部と連続し、かつ前記下部延伸部に室外側から当てることが可能であって、左右方向への延伸長さを有している第１延伸部と、前記遮閉部と連続し、かつ前記左右の側部延伸部に室外側から当てることが可能であって、前記第１延伸部の左右両端部から上方向への延伸長さを有している第２及び第３側端延伸部と、を備えている遮閉材と、を含んで構成され、
前記開き戸の室内側の面に前記防水材を、前記遮閉材を介さずに直接配置可能となっているとともに、前記遮閉材を介して間接的に配置可能ともなっていることを特徴とする防水用開き戸構造。
【発明の詳細な説明】
【技術分野】
【０００１】
本発明は、大雨時や洪水発生時等において、開き戸により開閉される出入口から水が室内側に流入することを防止するための防水材、その防水材を用いた防水用開き戸、防水具及び防水用開き戸構造に関する。
【背景技術】
【０００２】
大雨時や洪水発生時等において、開き戸により開閉される出入口から水が室内側に流入することを防止するための技術が下記の特許文献１に示されている。この特許文献１に示されている技術では、開き戸により開閉される出入口が内側に形成されているドア枠に、閉じたときの開き戸が当たる下部戸当り部と左右の側部戸当り部が形成されており、出入口のうち、高さを有する下部側の範囲を遮閉する部材となっている板材を、下部戸当り部と左右の側部戸当り部と開き戸とに対して着脱可能とし、この板材に下部戸当り部に室外側から当たる下部シールと、左右の側部戸当り部に室外側から当たる側部シールとを取り付け、出入口を閉じた開き戸により板材をドア枠に立て掛けて、下部シールと側部シールとを下部戸当り部と左右の側部戸当り部とに室外側から当てることにより、出入口から水が室内側に流入することを防止するようにしている。
【先行技術文献】
【特許文献】
【０００３】
【特許文献１】特開２０１４−２１８７９４号公報
【発明の概要】
【発明が解決しようとする課題】
【０００４】
上記技術では、ドア枠の下部戸当り部と左右の側部戸当り部に室外側から当てられる下部シールと左右の側部シールは、板材に取り付けられて使用されるものとなっており、これらのシールだけを有効活用することはできない。
【０００５】
本発明の目的は、ドア枠の下部戸当り部と左右の側部戸当り部に室外側から当てられることで開き戸により開閉される出入口から水が室内側に流入することを阻止できる防水材、及びこの防水材を有効活用できるようになる防水用開き戸、防水具及び防水用開き戸構造を提供するところにある。
【課題を解決するための手段】
【０００６】
本発明に係る防水材は、開き戸により開閉される出入口が内側に形成されているドア枠の下部戸当り部に室外側から当てられ、左右方向への延伸長さを有している下部延伸部と、前記ドア枠の左右の側部戸当り部に室外側から当てられ、前記下部延伸部の左右両端部から上方向への延伸長さを有している左右の側部延伸部と、を備えていることを特徴とするものである。
【０００７】
このため、この防水材を、ドア枠の内側に形成されている出入口を開閉する開き戸の室内側の面に取り付け可能とし、この取り付けを行うことにより、開き戸が出入口を閉じたときに、下部延伸部がドア枠の下部戸当り部に室外側から当たるとともに、左右の側部延伸部がドア枠の左右の側部戸当り部に室外側から当たることになり、このため、防水材を開き戸の室内側の面に取り付けることにより、開き戸で開閉される出入口から水が室内側に流入することを阻止できることになる。
【０００８】
以上の防水材は、折り畳み可能とすることが好ましい。これによると、開き戸の室内側の面に取り付ける以前の防水材を折り畳むことができるため、全体を小さな寸法にして限られたスペース等に収納できる。
【０００９】
このように防水材を折り畳み可能とすることは、例えば、防水材を構成している下部延伸部と左右の側部延伸部のうち、少なくとも１個の延伸部にヒンジを設け、このヒンジにより折り畳み可能とすることにより実現できる。
【００１０】
また、このように防水材を構成している下部延伸部と左右の側部延伸部のうち、少なくとも１個の延伸部にヒンジを設け、このヒンジにより防水材を折り畳み可能とする場合には、下部延伸部と左右の側部延伸部のうち、少なくともヒンジが設けられている１個の延伸部を、硬質材料で形成された室外側のベース部材と、このベース部材の室内側の面に取り付けられ、軟質材料で形成された防水部材とを含んで構成し、この防水部材を、ヒンジの配置箇所と対応する箇所で分割された２個の防水分割部材により形成するとともに、ベース部材を、ヒンジの配置箇所で分割された２個のベース分割部材により形成し、これらのベース分割部材同士をヒンジで連結することにより、ヒンジが設けられている前記延伸部を折り畳み可能としてもよい。
【００１１】
また、本発明に係る防水用開き戸は、開き戸により開閉される出入口が内側に形成されているドア枠の下部戸当り部に室外側から当てられ、左右方向への延伸長さを有している下部延伸部と、前記ドア枠の左右の側部戸当り部に室外側から当てられ、前記下部延伸部の左右両端部から上方向への延伸長さを有している左右の側部延伸部と、を備えた防水材が、室内側の面に取り付けられているものである。
【００１２】
このため、この防水用開き戸では、出入口がこの防水用開き戸により閉じられたときには、ドア枠の下部戸当り部に防水材の下部延伸部が室外側から当り、ドア枠の左右の側部戸当り部に防水材の左右の側部延伸部が室外側から当ることにより、出入口から水が室内側に流入することを阻止できる。
【００１３】
この防水用開き戸において、防水材は、開き戸の室内側の面に取り付けた後は取り外し不能となっていてもよく、あるいは、取り外し可能となっていてもよい。防水材を、開き戸の室内側の面に取り付けた後に取り外し可能としておくことにより、大雨時や洪水発生時等の異常事態発生時において、防水材を開き戸の室内側の面に取り付け、通常時には、防水材が取り付けられていない開き戸により出入口を開閉できるようになる。
【００１４】
また、上述したように防水材を、開き戸の室内側の面に取り付けた後は取り外し不能とする場合には、この取り付けのために接着剤やビス等を用いることができる。
【００１５】
また、防水材を、開き戸の室内側の面に取り外し可能に取り付けることは、この室内側の面にフック部材等の取付部材を設けることにより行え、また、防水材自体に取付部材を設けることによっても行え、さらに、室内側の面と防水材との両方に取付部材を設けることによっても行え、取付部材として面ファスナー等を用いることにより、開き戸の室内側の面に防水材を取り外し可能に取り付けることができる。
【００１６】
そして、防水材を、開き戸の室内側の面に取り外し可能に取り付けるために、この室内防水材自体に取付部材を設ける場合における一例として、防水材に、開き戸の室内側の面に吸着する吸着部材を設けてもよい。
【００１７】
この吸着部材は、開き戸の室内側の面が磁性材料で形成されている場合には、この室内側の面に吸着するマグネットでもよく、また、開き戸の室内側の面が磁性材料で形成されている場合とそうではない場合との両方において、吸着部材を吸盤としてもよい。
【００１８】
本発明に係る防水具は、開き戸により開閉される出入口が内側に形成されているドア枠の下部戸当り部に室外側から当てられ、左右方向への延伸長さを有している下部延伸部と、前記ドア枠の左右の側部戸当り部に室外側から当てられ、前記下部延伸部の左右両端部から上方向への延伸長さを有している左右の側部延伸部と、を備えている防水材と、前記出入口のうち、高さを有する下部側の範囲を遮閉する遮閉部と、この遮閉部と連続し、かつ前記下部延伸部に室外側から当てることが可能であって、左右方向への延伸長さを有している第１延伸部と、前記遮閉部と連続し、かつ前記左右の側部延伸部に室外側から当てることが可能であって、前記第１延伸部の左右両端部から上方向への延伸長さを有している左右の第２及び第３延伸部と、を備えている遮閉材と、を含んで構成され、前記防水材と前記遮閉材が分離されて形成されていることを特徴とするものである。
【００１９】
この防水具では、防水材と遮閉材が分離されて形成されているため、防水材だけを、前述したように、開き戸の室内側の面に取り付けて用いることが可能となる。
【００２０】
そして、大雨時や洪水発生時等の異常事態発生時において、この防水具の防水材と遮閉材とを組み合わせて用いる場合には、ドア枠の下部戸当り部に室外側から当てられた防水材の下部延伸部に遮閉材の第１延伸部を室外側から当てるとともに、ドア枠の左右の側部戸当り部に室外側から当てられた防水材の左右の側部延伸部に遮閉材の第１及び第２延伸部を室外側から当てる。これにより、開き戸が開いていても、遮閉材の遮閉部に水圧が作用する水が出入口から室外側から室内側に流入することを阻止でき、また、この遮閉部は、出入口のうち、高さを有する下部側の範囲を遮閉するものとなっているため、人等がこの遮閉部を跨ぐなどして越えることにより、室外側から室内側に又は室内側から室外側に移動することができる。
【００２１】
なお、この防水具における遮閉材には、ドア枠の下部戸当り部の上面に載せられる底部を設けることが好ましい。これによると、ドア枠に遮閉材をセットする作業を容易に行えるようになるとともに、遮閉部に水圧が作用する前や、遮閉部に水圧が作用しているが水面の高さ位置が低いときでも、遮閉材の底部をドア枠の下部戸当り部の上面に載せることにより、遮閉材をドア枠に対して自立させることができる。
【００２２】
本発明に係る防水用開き戸構造は、ドア枠の内側に形成されている出入口を開閉するための開き戸と、前記ドア枠の下部戸当り部に室外側から当てることが可能であって、左右方向への延伸長さを有している下部延伸部と、前記ドア枠の左右の側部戸当り部に室外側から当てることが可能であって、前記下部延伸部の左右両端部から上方向への延伸長さを有している左右の側部延伸部と、を備えている防水材と、前記出入口のうち、高さを有する下部側の範囲を遮閉する遮閉部と、この遮閉部と連続し、かつ前記下部延伸部に室外側から当てることが可能であって、左右方向への延伸長さを有している第１延伸部と、前記遮閉部と連続し、かつ前記左右の側部延伸部に室外側から当てることが可能であって、前記第１延伸部の左右両端部から上方向への延伸長さを有している第２及び第３側端延伸部と、を備えている遮閉材と、を含んで構成され、前記開き戸の室内側の面に前記防水材を、前記遮閉材を介さずに直接配置可能となっているとともに、前記遮閉材を介して間接的に配置可能ともなっていることを特徴とするものである。
【００２３】
この防水用開き戸構造では、開き戸の室内側の面に防水材が、遮閉材を介さずに直接配置可能となっているとともに、遮閉材を介して間接的に配置可能ともなっているため、防水材を、遮閉材を介さずに開き戸の室内側の面に直接配置した場合には、大雨時や洪水発生時等の異常事態発生時において、ドア枠の下部戸当り部に室外側から防水材の下部延伸部を当てるとともに、ドア枠の左右の側部戸当り部に室外側から防水材の左右の側部延伸部を当てることにより、出入口を閉じた開き戸によって水圧が受けられた水が出入口を通って室外側から室内側に流入することを阻止できる。
【００２４】
また、防水材を、遮閉材を介して開き戸の室内側の面に間接的に配置した場合には、大雨時や洪水発生時等の異常事態発生時において、ドア枠の下部戸当り部に室外側から当てられた防水材の下部延伸部に遮閉材の第１延伸部を室外側から当てるとともに、ドア枠の左右の側部戸当り部に室外側から当てられた防水材の左右の側部延伸部に遮閉材の第１及び第２延伸部を室外側から当てることにより、開き戸が出入口を開いているときでも、また、開き戸が出入口を閉じているときでも、水が出入口を通って室外側から室内側に流入することを阻止できる。また、開き戸が出入口を開いているときには、遮閉材の遮閉部は、出入口のうち、高さを有する下部側の範囲を遮閉するものとなっているため、この遮閉部を跨ぐなどして越えることにより、人等が室外側から室内側に又は室内側から室外側に移動することができる。
【００２５】
以上説明した本発明に係る防水材は、これまでの説明から分かるように、開き戸に取り付けられることにより開き戸と組み合せることが可能であり、また、遮閉材と組み合せられることにより防水具を構成するものとなり、さらに、開き戸及び遮閉材と組み合せられることにより防水用開き戸構造を構成するものとなるため、防水材を有効活用して、開き戸で開閉される出入口から水が室内側に流入することを阻止できるようになる。
【００２６】
このように本発明に係る防水材は開き戸や遮閉材と組み合せ可能となっているものであるが、この防水材は、開き戸に取り付けられることにより開き戸だけと組み合せてもよく、また、遮閉材だけと組み合せられることにより防水具を構成するものとなってもよく、さらに、開き戸及び遮閉材と組み合せられることにより防水用開き戸構造を構成するものとなってもよい。
【発明の効果】
【００２７】
本発明によると、防水材をドア枠の下部戸当り部と左右の側部戸当り部に室外側から当てることで開き戸により開閉される出入口から水が室内側に流入することを阻止できるとともに、この防水材を有効活用できるようになるという効果を得られる
【図面の簡単な説明】
【００２８】
【図１】図１は、本発明の一実施形態に係る防水材が適用されている開き戸装置の全体を示す正面図である。
【図２】図２は、図１の開き戸装置から開き戸を除いたドア枠の全体を示す正面図である。
【図３】図３は、防水材が取り付けられている開き戸の室内側の面を示す図である。
【図４】図４は、図３で示されている防水材だけを示す斜視図である。
【図５】図５は、図１のＳ５−Ｓ５線断面図である。
【図６】図６は、図１のＳ６−Ｓ６線断面図である。
【図７】図７は、防水材を開き戸の室内側の面に取り外し可能に取り付けるための実施形態を示す斜視図である。
【図８】図８は、防水材が折り畳み可能となっている実施形態を示す斜視図である。
【図９】図９は、防水材を遮閉材等と組み合せた実施形態を示す斜視図である。
【図１０】図１０は、開き戸を閉じたときの図９の実施形態における図５と同様の図である。
【図１１】図１１は、開き戸を閉じたときの図９の実施形態における図６と同様の図である。
【図１２】図１２は、開き戸を開けたときの図９の実施形態における図５と同様の図である。
【図１３】図１３は、開き戸を開けたときの図９の実施形態における図６と同様の図である。
【発明を実施するための形態】
【００２９】
以下に本発明を実施するための形態を図面に基づいて説明する。図１には、開き戸装置の全体正面図が示され、この開き戸装置は、本発明の一実施形態に係る防水材が適用されている開き戸１がドア枠２にヒンジ３を中心に回動自在に取り付けられたものであり、ドア枠２は、建物躯体である壁２５に配置されている。このドア枠２は、図１と、図１から開き戸１を除いた図２とに示されているように、上枠部材４と下枠部材５と左右の側枠部材６，７からなる四方枠であり、ドア枠２の内側は、開き戸１により開閉される出入口８となっている。
【００３０】
上枠部材４と下枠部材５と左右の側枠部材６，７には、出入口８を閉じたときの開き戸１が当たる上部戸当り部９と、下部戸当り部１０と、左右の側部戸当り部１１，１２とが設けられており、また、これらの戸当り部９，１０，１１，１２には、開き戸１との間で気密性を確保するための気密部材１３，１４，１５，１６が内部に収納配置されている凹部９Ａ，１０Ａ，１１Ａ，１２Ａが形成されている。これらの戸当り部９，１０，１１，１２と気密部材１３，１４，１５，１６と凹部９Ａ，１０Ａ，１１Ａ，１２Ａのうち、図１のＳ５−Ｓ５線断面である図５及び図１のＳ６−Ｓ６線断面である図６には、下枠部材５と左右の側枠部材６，７における戸当り部１０，１１，１２と、気密部材１４，１５，１６と、凹部１０Ａ，１１Ａ，１２Ａとが示されている。
【００３１】
図３には、図１で示されている開き戸１の室外側の面１Ａとは開き戸１の厚さ方向反対側の面となっている室内側の面１Ｂが示されている。この室内側の面１Ｂには、室外側の面１Ａに設けられているドアノブ１７と対応するドアノブ１８と、室外側の面１Ａに設けられているキー式施錠装置１９と対応するサムターン部材２０とが配置されている。
【００３２】
また、図３で示す開き戸１の室内側の面１Ｂには、出入口８を閉じたときの開き戸１とドア枠２との間の水密性を確保するための防水材３０が取り付けられている。この防水材３０は、開き戸１の下辺に沿って配置され、左右方向への延伸長さを有する下部延伸部３１と、開き戸１の左右の側辺に沿って配置され、下部延伸部３１の左右両端部から上方向への延伸長さを有する左右の側部延伸部３２，３３とからなる上向きに開口したコ字形状のものとなっており、左右の側部延伸部３２，３３の上下長さ寸法は、開き戸１の高さ寸法よりも短い寸法になっている。また、防水材３０だけを示している図４から分かるように、この防水材３０は、開き戸１の厚さ方向の寸法である下部延伸部３１と左右の側部延伸部３２，３３のそれぞれの厚さ寸法が同じになっている薄厚状のものであり、このような防水材３０は、水密性を有する材料、例えば、ＥＰＤＭ（エチレンプロピレンゴム）やＣＲ（クロロプレンゴム）等で形成されている。
【００３３】
防水材３０は、この防水材３０の室外側の面３０Ａが開き戸１の室内側の面１Ｂに接着剤又はビス等で固定された状態で、すなわち、取り外し不能に取り付けられ、この取り付けは、下部延伸部３１を開き戸１の下辺に沿って配置し、左右の側部延伸部３２，３３を開き戸１の左右の側辺に配置して行われる。このため、大雨時や洪水発生時等の異常事態発生時において、図１で示したように、開き戸１により出入口８を閉じ、室内側の面１Ｂに設けられているドアノブ１８やサムターン部材２０の操作で開き戸１をドア枠２に対してロック状態としたときには、図５に示されているように、防水材３０のうち、下部延伸部３１がドア枠２の下部戸当り部１０に当たり、また、図６に示されているように、左右の側部延伸部３２，３３がドア枠２の左右の側部戸当り部１１，１２に当たることになる。このため、大雨や洪水等による水が開き戸１の室外側の面１Ａに達し、水面の高さ位置が左右の側部延伸部３２，３３の上端よりも低位置となった水の水圧がこの室外側の面１Ａに作用したときには、この水圧が開き戸１を介して防水材３０に作用することと併せ、防水材３０の下部延伸部３１がドア枠２の下部戸当り部１０に一層強く当たり、また、左右の側部延伸部３２，３３がドア枠２の左右の側部戸当り部１１，１２に一層強く当たることになり、このため、これらの箇所において、水が出入口８から室内側の空間に流入することを阻止できる。
【００３４】
なお、防水材３０を開き戸１の室内側の面１Ａに取り付けず、この防水材３０を、出入口８を閉じたときの開き戸１とドア枠２とにより挟着することにより、水が出入口８から室内側の空間に流入することを阻止するようにしてもよい。
【００３５】
図７には、別実施形態に係る防水材４０が示されており、この防水材４０は、開き戸１の室内側の面１Ｂに取り外し可能に取り付けることができるものになっている。この防水材４０も、開き戸１の下辺に沿って配置され、左右方向への延伸長さを有する下部延伸部４１と、開き戸１の左右の側辺に沿って配置され、下部延伸部４１の左右両端部から上方向への延伸長さを有する左右の側部延伸部４２，４３からなる上向きに開口したコ字形状のものとなっている。そして、この防水材４０には、この防水材４０を開き戸１の室内側の面１Ｂに取り外し可能に取り付けるための取付部材が設けられている。この取付部材は、開き戸１の鋼板等の磁性材料で形成されている室内側の面１Ｂに磁力で吸着するマグネット４４であり、薄板状のこのマグネット４４は、防水部材４０の室外側の面４０Ａに埋設状態で固定配置されている。
【００３６】
図７の実施形態に係るマグネット４４は小片状のものであるため、マグネット４４は、下部延伸部４１と左右の側部延伸部４２，４３のそれぞれの長さ方向、すなわち、これらの下部延伸部４１と左右の側部延伸部４２，４３のそれぞれの延伸方向に複数個ずつ配置されている。
【００３７】
このようにこの実施形態に係る防水材４０は、開き戸１の鋼板等の磁性材料で形成されている室内側の面１Ｂに磁力で吸着するマグネット４４を備えたものとなっているため、大雨時や洪水発生時等の異常事態発生時において、防水材４０を開き戸１の室内側の面１Ｂにマグネット４４で取り付けることができ、また、通常時においては、この室内側の面１Ｂから防水材４０を取り外すことができる。このため、通常時には、開き戸１を通常の開き戸にして出入口８を開閉することができる。
【００３８】
言い換えると、この実施形態に係る防水材４０は、通常の開き戸に適用できるものとなっている。
【００３９】
図８には、さらに別実施形態に係る防水材５０が示されている。この防水材５０も、開き戸１の下辺に沿って配置され、左右方向への延伸長さを有する下部延伸部５１と、開き戸１の左右の側辺に沿って配置され、下部延伸部５１の左右両端部から上方向への延伸長さを有する左右の側部延伸部５２，５３からなる上向きに開口したコ字形状のものとなっている。そして、この防水材５０は、下部延伸部５１と左右の側部延伸部５２，５３のそれぞれにおいて、金属や硬質プラスチック等の硬質材料で形成された室外側のベース部材５４と、このベース部材５４の室内側の面に取り付けられ、軟質材料で形成された防水部材５５との重ね合わせ構造により構成されており、この防水部材５５は、例えば、前述した水密性を有するＥＰＤＭやＣＲ等で形成されている。
【００４０】
また、ベース部材５４は、下部延伸部５１の延伸方向である左右方向の中央部で分割された２個のベース分割部材５４Ａ，５４Ｂにより形成され、これらのベース分割部材５４Ａ，５４Ｂ同士は、軸方向が上下方向となっている回動中心軸を備えたヒンジ５６により連結されている。防水部材５５は、ヒンジ５６の配置箇所と対応する箇所で分割された２個の防水分割部材５５Ａ、５５Ｂにより形成されており、これらの防水分割部材５５Ａ、５５Ｂの分割面同士は、下部延伸部５１が図８の実線で示されているように直線状に延びているときには、互いに接触して対面している。
【００４１】
このため、ヒンジ５６が設けられたこの実施形態に係る防水材５０は、図８の二点鎖線で示されているように、下部延伸部５１の中央部において、ヒンジ５６によって左右方向に折り畳み可能となっている。したがって、この防水材５０のベース部材５４を開き戸１の室内側の面１Ｂに、例えば、接着剤等で取り付ける以前は、防水材５０を折り畳むことができ、このため、この防水材５０を、左右方向の寸法を小さくして限られたスペース等に有効に収納することが可能となる。
【００４２】
なお、ベース部材５４をマグネットとすることにより、あるいは、ベース部材５４にマグネットを配置することにより、防水材５０を開き戸１の室内側の面１Ｂに取り外し可能に取り付けることも可能である。また、防水材５０の折り畳み箇所を、それぞれの側部延伸部５２，５３の延伸方向の途中にも設けてもよく、また、折り畳み箇所を、下部延伸部５１と左右の側部延伸部５２，５３のうち、少なくとも一つの延伸部において、複数設けてもよい。
【００４３】
図９には、図１〜図６の実施形態で示した防水材３０と、この防水材３０と組み合せられる遮閉材６０とが示されている。この遮閉材６０と組み合せられるために用いられる防水材３０は、開き戸１の室内側の面１Ｂに取り付けられないものとなっており、また、防水材３０と遮閉材６０は互いに分離しており、したがって、防水材３０は遮閉材６０に取り付けられていない。
【００４４】
金属板の打ち抜き加工や折り曲げ加工で形成されている遮閉材６０は、防水材３０の下部延伸部３１と対応し、左右方向への延伸長さを有する第１延伸部６１と、防水材３０の左右の側部延伸部３２，３３と対応し、第１延伸部６１の左右両端部から上方向への延伸長さを有する左右の第２及び第３延伸部６２，６３とを有するものになっている。第１延伸部６１の左右方向の長さ寸法は、防水材３０の下部延伸部３１の左右方向の長さ寸法と同じ又は略同じであり、左右の第２及び第３延伸部６２，６３の上下方向の長さ寸法は、防水材３０の左右の側部延伸部３２，３３の上下方向の長さ寸法と同じ又は略同じである。また、第１、第２及び第３延伸部６１，６２，６３の内側は、ドア枠２の内側に形成されている出入口８のうち、高さを有する下部側の範囲を遮閉することができる遮閉部６４となっている。
【００４５】
遮閉材６０は、開き戸１の厚さ方向の寸法を有しているため、遮閉部６４は、第１、第２及び第３延伸部６１，６２，６３から室内側にずれた位置に設けられており、このため、第１延伸部６１と遮閉部６４との間は、遮閉材６０の室内外方向の奥行きを有する底部６０Ａとなっており、また、第２及び第３延伸部６２，６３と遮閉部６４との間は、遮閉材６０の室内外方向の奥行きを有する側部６０Ｂ，６０Ｃとなっている。したがって、第１延伸部６１は、底部６０Ａを介して遮閉部６４と連続しており、左右の第２及び第３延伸部６２，６３は、側部６０Ｂ，６０Ｃを介して遮閉部６４と連続している。
【００４６】
図１０及び図１１には、防水材３０と遮閉材６０をドア枠２に配置したときが示されている。防水材３０の下部延伸部３１は、ドア枠２の下部戸当り部１０に当てられ、防水材３０の左右の側部延伸部３２，３３は、ドア枠２の左右の側部戸当り部１１，１２に当てられる。また、遮閉材６０の第１延伸部６１は、防水材３０の下部延伸部３１に当てられ、遮閉材６０の第２及び第３延伸部６２，６２は、防水材３０の左右の側部延伸部３２，３３に当てられる。このときには、図１０に示されているように、遮閉材６０の遮閉部６４は、出入口８のうち、高さを有する下部側の範囲を遮閉しているとともに、遮閉材６０の底部６０Ａは、ドア枠２の下枠部材５に設けられている下部戸当り部１０の上面１０Ｂの上に載せられている。
【００４７】
このように遮閉材６０の底部６０Ａが下部戸当り部１０の上面１０Ｂの上に載せられることにより、図１０及び図１１で示されているように開き戸１が出入口８を閉じているときでも、また、図１２及び図１３で示されているように開き戸１が出入口８を開けているときでも、遮閉材６０は、下枠部材５の上で自立することができる。
【００４８】
このように防水材３０が遮閉材６０と組み合せられる実施形態では、大雨時や洪水発生時等の異常事態発生時において、図１０及び図１１で示されているように開き戸１により出入口８を閉じているときには、開き戸１の室内側の面１Ｂが遮閉材６０に当接しているため、開き戸１の室外側の面１Ａに作用する水圧により、遮閉材６０を介して、防水材３０の下部延伸部３１はドア枠２の下部戸当り部１０に強く当たり、防水材３０の左右の側部延伸部３２，３３はドア枠２の左右の側部戸当り部１１，１２に強く当たるため、出入口８から水が室内側の空間に流入することを阻止できる。
【００４９】
また、図１２及び図１３で示されているように開き戸１が出入口８を開いているときには、遮閉材の遮閉部６４の室外側の面６４Ａに水圧が作用することになり、この水圧により、遮閉材６０の第１延伸部６１を介して防水材３０の下部延伸部３１がドア枠２の下部戸当り部１０に強く当たり、遮閉材６０の第２及び第３延伸部６２，６３を介して防水材３０の左右の側部延伸部３２，３３がドア枠２の左右の側部戸当り部１１，１２に強く当たるため、このときも、出入口８から水が室内側の空間に流入することを阻止できる。
【００５０】
このため、遮閉材６０を防水材３０と組み合せたこの実施形態によると、開き戸１が出入口８を閉じているときと、出入口８を開いているときとの両方において、出入口８から水が室内側の空間に流入することを阻止できるため、開き戸１により出入口８を閉じているときに、開き戸１により区画されている室内側の空間と室外側の空間との間を人等が通過することが必要になった場合に、開き戸１を開けて出入口８を人等が通過できる状態にしても、出入口８から水が室内側の空間に流入することを阻止できる。また、このときには、遮閉材６０の遮閉部６４は、出入口８のうち、高さを有する下部側の範囲だけを遮閉しているため、人等は、この遮閉部６４の上を跨ぐなどして越えることにより、出入口８を通過することができる。
【００５１】
また、遮閉材６０は、底部６０Ａが下部戸当り部１０の上面１０Ｂの上に載せられることにより、開き戸１が開いているときでもドア枠２に対して自立するため、遮閉部６４の室外側の面６４Ａに水圧が作用する前や、この面６４Ａに水圧が作用しているが水面の高さ位置が低いときでも、遮閉材６０の自立は維持されることになる。
【００５２】
さらに、このように遮閉材６０には、下部戸当り部１０の上面１０Ｂの上で自立するための底部６０Ａが設けられているため、この遮閉材６０をドア枠２に対してセットするための作業を容易に行える。
【００５３】
以上の説明は、防水材３０を遮閉材６０と組み合せて用いた場合であるが、前述したように、防水材３０と遮閉材６０は互いに分離して形成されたものとなっていて、防水材３０は遮閉材６０に取り付けられていないため、防水材３０を開き戸１の室内側の面１Ｂに遮閉材６０を介さずに直接配置して用いることもでき、また、上述したように、防水材３０を開き戸１の室内側の面１Ｂに遮閉材６０を介して間接的に配置して用いることもできる。
【００５４】
なお、防水材３０を開き戸１の室内側の面１Ｂに遮閉材６０を介さずに直接配置して用いることは、防水材３０を、出入口８を閉じたときの開き戸１とドア枠２とでこの防水材３０を挟着することでもよく、また、防水材３０を開き戸１又はドア枠２に両面粘着テープ等の仮止め部材を用いて仮止めすることでもよい。
【００５５】
このように開き戸１の室内側の面１Ｂに遮閉材６０を介さずに直接配置して用いる場合や、開き戸１の室内側の面１Ｂに遮閉材６０を介して間接的に配置して用いる場合における防水材は、図９の実施形態で説明したように、図１〜図６の実施形態の防水材３０でもよく、あるいは、図７で説明した防水材４０でもよく、あるいは、図８で説明した防水材５０でもよい。そして、これらの防水材４０，５０も、防水材３０と同様に、遮閉材６０とは分離して形成されている防水材である。防水材４０を用いる場合には、この防水材４０に設けられているマグネット４４により、防水材４０を開き戸１の室内側の面１Ｂと遮閉材６０とに選択的に取り付けることができる。
【００５６】
なお、防水材３０は、遮閉材６０に接着剤等により分離不能に取り付けて用いることもできる。
【産業上の利用可能性】
【００５７】
本発明は、大雨時や洪水発生時等において、開き戸により開閉される出入口から水が室内側に流入することを防止するために利用することができる。
【符号の説明】
【００５８】
１  開き戸
１Ａ  室外側の面
１Ｂ  室内側の面
２  ドア枠
８  出入口
１０  下部戸当り部
１０Ｂ  上面
１１，１２  側部戸当り部
３０，４０，５０  防水材
３１，４１，５１  下部延伸部
３２，３３，４２，４３，５２，５３  側部延伸部
４４  吸着部材であるマグネット
５４  ベース部材
５４Ａ，５４Ｂ  ベース分割部材
５５  防水部材
５５Ａ，５５Ｂ  防水分割部材
６０  遮閉材
６０Ａ  底部
６１  第１延伸部
６２，６３  第２及び第３延伸部
６４  遮閉部
【図１】
2019100121.tif 000003
【図２】
2019100121.tif 000004
【図３】
2019100121.tif 000005
【図４】
2019100121.tif 000006
【図５】
2019100121.tif 000007
【図６】
2019100121.tif 000008
【図７】
2019100121.tif 000009
【図８】
2019100121.tif 000010
【図９】
2019100121.tif 000011
【図１０】
2019100121.tif 000012
【図１１】
2019100121.tif 000013
【図１２】
2019100121.tif 000014
【図１３】
2019100121.tif 000015